(57)【特許請求の範囲】
【請求項１】
玄関土間空間とその玄関土間空間よりも床面が高くなった土間隣接空間とが所定方向に並んで設けられている建物玄関において、当該建物玄関に設けられる玄関ベンチであって、
前記玄関土間空間と前記土間隣接空間との境界部を跨ぐとともに、前記所定方向に沿った前記建物玄関の内壁から突出する座部を有し、
前記座部において、前記玄関土間空間側の端部は第１端部であり、前記土間隣接空間側の端部は第２端部であり、
前記座部は、前記内壁からの突出寸法が前記第１端部側から前記第２端部側に向けて小さくなるように形成されているとともに、前記境界部を跨ぐ部分において前記突出寸法が前記玄関土間空間の側から前記土間隣接空間の側にかけて連続的に小さくなるように形成されていることを特徴とする玄関ベンチ。
【請求項２】
前記座部は、前記所定方向全域に亘って、前記突出寸法が前記第１端部側から前記第２端部側に向けて連続的に小さくなるよう形成されていることを特徴とする請求項１に記載の玄関ベンチ。
【請求項３】
前記座部は、前記所定方向の中間部が前記玄関土間空間の側に偏った位置に設けられていることを特徴とする請求項１又は２に記載の玄関ベンチ。
【請求項４】
前記座部は、前記所定方向の中間部が前記境界部を跨ぐ部分となっており、その中間部において前記突出寸法が前記玄関土間空間の側から前記土間隣接空間の側にかけて連続的に小さくされており、
前記座部において前記所定方向における前記中間部を挟んだ両側の各端部側では、前記突出寸法が一定とされていることを特徴とする請求項１に記載の玄関ベンチ。
【発明の詳細な説明】
【技術分野】
【０００１】
本発明は、玄関ベンチに関する。
【背景技術】
【０００２】
一般に、建物には建物の出入り口につながる建物玄関が設けられている。建物玄関としては、建物入口から建物内に入った場合の最初の空間である玄関土間空間と、その玄関土間空間に隣接し、居室や廊下等の屋内空間につながる玄関ホールとが設けられることが多い。建物利用者が建物に出入りする場合には、その玄関土間空間で靴等の履物を脱いだり、履いたりする。
【０００３】
ところで、近年では、建物のバリアフリー化が社会において推進され、高齢者や身体障害者等にとっての建物利用上の利便性を向上させることが求められている。このような観点からすると、建物玄関において、建物利用者が、座りながら履物を脱いだり履いたりすることができる状態となっていることが好ましい。そこで、建物玄関に玄関ベンチを設けることが提案されている。
【０００４】
玄関ベンチとしては、ベンチ単体として市販されているものを玄関土間空間に置いたものの他、建物玄関の内壁等に取り付けられたものも存在している。例えば、特許文献１に記載の構成は、玄関収納等の収納体と一体的に設けられている。
【先行技術文献】
【特許文献】
【０００５】
【特許文献１】特開平９−３０８５３４号公報
【発明の概要】
【発明が解決しようとする課題】
【０００６】
ところで、建物利用者が玄関ベンチを使用して履物を脱ぎ、玄関ホールに上がろうとする場合を考えてみる。この場合、まず、建物玄関の内壁を背にしながら正面を向いて座部に座り、履物を脱ぎ、その後、体を回転させて玄関ホール側を向き、玄関ホールの床面に足を載せて立ち上がる、という一連の動作が行われる。玄関ベンチを使用して履物を履いて建物外へ出ようとする場合には、その一連の動作とは逆の動作が行われる。このような動作がなされることを前提として、建物利用上の利便性をさらに向上させるため、履物を脱いだり履いたりする場合に、体を回転させながら体の向きを変えやすい玄関ベンチが求められていた。
【０００７】
本発明は、このような事情に鑑みて、建物利用者が履物を脱いだり履いたりする場合に、体を回転させながら体の向きを変えやすい玄関ベンチを提供することを目的とする。
【課題を解決するための手段】
【０００８】
上記の課題を解決すべく、第１の発明では、玄関土間空間とその玄関土間空間よりも床面が高くなった土間隣接空間とが所定方向に並んで設けられている建物玄関において、当該建物玄関に設けられる玄関ベンチであって、前記玄関土間空間と前記土間隣接空間との境界部を跨ぐとともに、前記所定方向に沿った前記建物玄関の内壁から突出する座部を有し、前記座部は、その突出寸法が、前記境界部の上方において前記玄関土間空間の側から前記土間隣接空間の側にかけて連続的に小さくなるように形成されたことを特徴とする。
【０００９】
建物利用者が玄関ベンチを使用して履物を脱いだり、履いたりする場合、その建物利用者は、玄関ベンチに座った状態で、内壁を背に正面を向いた態勢と、土間隣接空間側を向いた態勢とに、体を回転させながら体の向きを変える動作を行う。この点、第１の発明によれば、玄関ベンチの座部の突出寸法が、玄関土間空間と土間隣接空間との境界部の上方において、玄関土間空間側から土間隣接空間側にかけて連続的に小さくなるように形成されている。つまり、平面視において、境界部の上方では、土間隣接空間側の突出寸法（奥行）がより小さくなるように傾斜している。そのため、建物利用者が玄関ベンチを使用する場合、その傾斜部分で、前述したように体を回転させながら体の向きを変えやすい。これにより、玄関ベンチを使用する上での利便性を高めることができる。
【００１０】
第２の発明では、第１の発明に記載の玄関ベンチを備えた建物玄関であって、前記土間隣接空間の内壁には、前記玄関ベンチよりも前記土間隣接空間の側に、前記玄関ベンチと前記所定方向に並んで手摺が設けられており、前記手摺は、前記土間隣接空間の床面に対して垂直に延びていることを特徴とする。
【００１１】
この第２の発明によれば、建物玄関に、体の向きを変えやすい上記第１の発明の玄関ベンチが設けられているため、その建物の利便性を高めることができる。その上、玄関ベンチよりも土間隣接空間側の内壁には、垂直に延びる手摺が設けられている。このため、建物利用者が玄関ベンチから立ち上がったり、玄関ベンチに座ったりする動作をする際にその手摺を使用することができる。また、体を回転させながら体の向きを変える際に、その手摺を使用することもできる。これにより、玄関ベンチを使用してなされる一連の動作を行いやすい。
【００１２】
第３の発明では、第１の発明に記載の玄関ベンチを備えた建物玄関であって、前記玄関ベンチは、前記所定方向の両端部に設けられた支持部によって支持されるとともに、前記座部の下方には下方空間が形成され、前記下方空間は、前記支持部のうち前記玄関土間空間の側に設けられた土間側支持部によりベンチ側面部分が覆われており、前記土間側支持部と相対する外壁部に建物への出入り口となる玄関開口部が設けられていることを特徴とする。
【００１３】
この第３の発明によれば、玄関ベンチの下に下方空間が設けられているため、玄関ベンチに座った状態で履物を脱いだり履いたりする動作を行いやすい。また、玄関開口部と玄関ベンチの土間側支持部とが相対して設けられ、その土間側支持部により、下方空間を有する玄関ベンチのベンチ側面部分が覆われている。この土間側支持部によって、下方空間を玄関開口部側に対して区画して隠すという目隠し効果が得られるため、下方空間を、履物等の一時的な収納スペースとして利用することができる。
【図面の簡単な説明】
【００１４】
【図１】建物玄関を示す間取り図。
【図２】建物玄関に設けられた玄関ベンチ及び手摺を示す斜視図。
【図３】玄関ベンチを示す平面図。
【図４】玄関ベンチ及び手摺の使用形態を示す平面図。
【図５】玄関ベンチの別形態を示す平面図。
【発明を実施するための形態】
【００１５】
以下、本発明を具体化した一実施形態について図面を参照しつつ説明する。
【００１６】
はじめに、建物の一例として、住宅として利用される建物を想定し、その建物が有する建物玄関の構成について図１〜図３を参照して説明する。図１は建物玄関を示す間取り図であり、図２は建物玄関に設けられた玄関ベンチ及び手摺（下端部側）を示す斜視図であり、図３は玄関ベンチを示す平面図である。
【００１７】
図１に示すように、建物１０には、建物玄関１１が設けられている。建物玄関１１は、建物１０の出入り口に続いて設けられた建物１０の一部であり、建物１０に出入りする場合に利用される。一般には、建物１０が戸建の場合は一階部分に建物玄関１１が設けられる。建物１０が二世帯住宅であったり、一階部分がガレージや店舗等の非居住空間として利用されたりする場合には、二階以上の上階部分に建物玄関１１が設けられることもある。また、マンション等の集合住宅では、各階の室ごとに建物玄関１１が設けられる。
【００１８】
建物玄関１１の屋内空間は、建物１０の外壁部１４によって屋外と区画され、玄関土間空間１２と玄関ホール１３とを有している。玄関土間空間１２を区画する外壁部１４には、玄関開口部１５が設けられ、さらにその玄関開口部１５には玄関扉１６が設置されている。このため、玄関土間空間１２は、玄関扉１６を開けて屋外から建物１０内に入った場合に、最初に立ち入る屋内空間である。
【００１９】
玄関ホール１３は、前記玄関土間空間１２と所定方向に隣接して設けられた屋内空間であって、玄関土間空間１２と居室や廊下等の他の屋内空間とをつなぐ土間隣接空間である。前記玄関扉１６が設けられた外壁部１４と平面視において直交する方向が、玄関土間空間１２と玄関ホール１３とが隣接する所定方向となっている。
【００２０】
図２に示すように、玄関ホール１３の床面１３ａは、玄関土間空間１２の床面１２ａよりも高い位置に設けられている。そのため、玄関土間空間１２と玄関ホール１３との境界部分には段差が形成されている。この段差の角部分には、玄関土間空間１２と玄関ホール１３との境界部としての上り框５１が設けられている。
【００２１】
図１に戻り、建物玄関１１の屋内空間には、玄関ベンチ２０、手摺３０及び玄関収納体４０の各設備が設けられている。以下、これらの各設備に関して順に説明する。
【００２２】
玄関ベンチ２０は、建物玄関１１に設けられ、建物利用者が座った状態で履物を脱いだり履いたりするのに利用するものであり、特に高齢者や身体障害者等にとっての建物利用上の利便性を高めている。図２及び図３に示すように、玄関ベンチ２０は、座部としての座板部２１と、その座板部２１を支持する支持部としての土間側板部２２及びホール側板部２３と、補強枠体２４とを有して構成されている。
【００２３】
座板部２１は平板状をなし、その座面２１ａが、平面視において、前記玄関土間空間１２と前記玄関ホール１３とが並ぶ所定方向に沿って延びる長尺の台形状に形成されている。座板部２１の座面２１ａが長尺状に形成されているため、座板部２１は、少なくとも大人一人と子供一人とが並んで座れる程度の領域が確保されている。座板部２１は、玄関土間空間１２及び玄関ホール１３の各内壁１２ｂ，１３ｂから水平に突出するように設けられている。また、座板部２１は上り框５１を跨ぎ、長手方向の中間部が玄関土間空間１２の側に大きく片寄った位置に設けられている。
【００２４】
図３に示すように、座板部２１が有する一対の短辺部は、互いに平行をなしている。玄関土間空間１２側の第１短辺部２１ｂは、玄関土間空間１２の内壁１２ｂに対し平面視において垂直をなしており、玄関ホール１３側の第２短辺部２１ｃは、玄関ホール１３の内壁１３ｂに対し平面視において垂直をなしている。
【００２５】
一方、座板部２１が有する一対の長辺部は、互いに非平行となっている。玄関土間空間１２及び玄関ホール１３の各内壁１２ｂ，１３ｂ側となる第１長辺部２１ｄは、それら各内壁１２ｂ，１３ｂと平行で、かつそれら各内壁１２ｂ，１３ｂと接している。その反対側（これを前側（正面側）とする。）となる第２長辺部２１ｅは、平面視において、左から右に傾斜するように形成されている。つまり、座板部２１は、各内壁１２ｂ，１３ｂからの突出寸法（奥行）が、玄関土間空間１２の側から玄関ホール１３の側にかけて連続的に小さくなっている。
【００２６】
図２及び図３に示すように、座板部２１は、その長手方向の両端部、つまり第１短辺部２１ｂ及び第２短辺部２１ｃにおいて、土間側板部２２とホール側板部２３とによって支持されている。そのうち、土間側支持部である土間側板部２２は四角板状に形成され、座板部２１の第１短辺部２１ｂの下方に設けられている。土間側板部２２の外側板面は第１短辺部２１ｂの端面と略同一平面が形成され、その前端は第１短辺部２１ｂの前端と略同じ位置に設けられている。図２に示すように、この土間側板部２２は、玄関土間空間１２の床面１２ａの上に立設され、その上端面で座板部２１の玄関土間空間１２側を支えている。土間側板部２２の下端部にはアジャスタ２５が設けられ、座面２１ａが水平となるように土間側板部２２の高さを調整することが可能となっている。この土間側板部２２は、玄関開口部１５が設けられた外壁部１４と相対している。
【００２７】
図２及び図３に示すように、ホール側板部２３は四角板状に形成されており、座板部２１の第２短辺部２１ｃの下方に設けられている。ホール側板部２３の外側板面は第２短辺部２１ｃの端面と略同一平面が形成され、その前端は第２短辺部２１ｃの前端と略同じ位置に設けられている。座板部２１において第２短辺部２１ｃの奥行は第１短辺部２１ｂの奥行よりも小さくなっている。このため、ホール側板部２３の板面面積は、土間側板部２２の板面面積よりも小さくなっている。ホール側板部２３は、玄関ホール１３の床面１３ａの上に立設され、その上端面で座板部２１の玄関ホール１３側を支えている。ホール側板部２３の下端部と玄関ホール１３の床面１３ａとの間には、フェルトパッド（図示略）が介在しており、これにより安定性が高められている。
【００２８】
図２及び図３に示すように、補強枠体２４は、座板部２１の直下において、土間側板部２２とホール側板部２３との間に設けられている。補強枠体２４は、板材の組み付けにより、土間側板部２２とホール側板部２３との間の内側寸法に合わせて四角枠状に形成されたものであり、上端を座板部２１の下面に当接させた状態で設けられている。補強枠体２４の一対の短辺部は、それぞれ土間側板部２２及びホール側板部２３に対して内側からネジ等で固定されている。補強枠体２４の奥行は、座板部２１における第２短辺部２１ｃの奥行よりも短く設定されている。この補強枠体２４が設けられていることにより、玄関ベンチ２０は建物利用者が座って使用しても十分な強度が確保されている。
【００２９】
以上のように、玄関ベンチ２０は、いずれも平板状をなす座板部２１、土間側板部２２及びホール側板部２３と、座板部２１の下方に設けられた補強枠体２４とで構成されている。そして、補強枠体２４の下端と玄関土間空間１２の床面１２ａとの間には、下方空間としての内側空間２６が形成されている。この内側空間２６は、建物利用者が玄関ベンチ２０に座って履物を脱いだり履いたりする場合に、足を入れつつそれらの動作を行える足入れ空間として使用できる。図２に示すように、土間側板部２２が設けられているため、この内側空間２６は、当該土間側板部２２によって、玄関ベンチ２０の正面からみて左側（玄関土間側）のベンチ側面部分が覆われた状態となっている。
【００３０】
次に、手摺３０は、図１及び図２に示すように、玄関ホール１３において、玄関ベンチ２０が設けられた側の内壁１３ｂに、玄関ベンチ２０よりも玄関ホール１３側となる位置にその玄関ベンチ２０と並んで設けられている。手摺３０は、手摺本体３１と、手摺本体３１を支持する支持ブラケット３２とを有している。手摺本体３１は、玄関ホール１３の床面１３ａに対して垂直方向に延びる直線状に形成されている。支持ブラケット３２は、その垂直方向に沿った数か所に設けられ、この支持ブラケット３２により、直線状をなす手摺本体３１が支持されている。
【００３１】
手摺３０は、玄関ベンチ２０の座面２１ａのうち、玄関ホール１３側となる位置に、玄関ホール１３側を向いて建物利用者が座った場合に、その建物利用者の手が十分届く程度の位置に設けられている。つまり、座板部２１の第２短辺部２１ｃと、支持ブラケット３２が取り付けられた位置との間の長さＬ（後述する図４参照）は、座った建物利用者の手が届く長さとなるように設定されている。具体的には、その長さＬは、４００ｍｍに設定されている。
【００３２】
次に、玄関収納体４０は、図１に示すように、建物玄関１１において、玄関ベンチ２０が設けられた側とは反対側に設けられている。玄関収納体４０も玄関土間空間１２側から、上り框５１を跨いで、玄関ホール１３側に至るまで設けられている。これにより、玄関収納体４０に履物、傘等の各種物品を収納することが可能となり、建物１０を利用する上での利便性が高められている。
【００３３】
建物玄関１１は以上のように構成されているところ、次に、その建物玄関１１に設けられた玄関ベンチ２０や手摺３０の使用態様について、図４を参照ながら説明する。図４は、玄関ベンチ２０及び手摺３０の使用形態を示す平面図である。ちなみに、図４は、建物利用者が、玄関ベンチ２０を利用して履物を脱いだ後、玄関ホール１３に立ち上がろうとする場合を想定している。
【００３４】
図４に示すように、建物１０の外から建物１０内に入る場合、まず、玄関ベンチ２０に座る。この時、建物利用者は、玄関土間空間１２の内壁１２ｂを背にしながら正面を向いて座板部２１に座り、その状態で履物を脱ぐ。その際、座板部２１の下方に設けられた内側空間２６に足を入れながら、履物を脱ぐ動作を行うことができる。次いで、図に矢印で示すように、建物利用者は、その体を玄関ホール１３側となる横へ移動させた後、体を回転させ、玄関ホール１３の床面１３ａに履物を脱いだ状態の足を載せつつ、玄関ホール１３側を向いた態勢に体の向きを変える。さらにその後、立ち上がる。この立ち上がり時には、手摺３０がちょうど手の届く位置に設けられているため、この手摺３０を掴みながら、それを補助として使用し、立ち上がることも可能となる。
【００３５】
建物利用者が玄関ベンチ２０を使用して履物を履き、建物１０の外へ出る場合には、前述した一連の動作とは逆の動作を行う。
【００３６】
本実施形態の建物玄関１１に関する説明は以上のとおりである。そして、その建物玄関１１が有する構成によれば、以下の効果を得ることができる。
【００３７】
建物玄関１１に設けられた玄関ベンチ２０は、座板部２１の内壁１２ｂ，１３ｂからの突出寸法（奥行）が、玄関土間空間１２の側から玄関ホール１３の側にかけて、連続的に小さく形成されている。この場合、玄関土間空間側の突出寸法（奥行）がより小さくなっている。建物利用者が玄関ベンチ２０を利用して履物を脱いだり、履いたりする場合、玄関ベンチ２０に座った状態で、内壁１３ｂを背に正面を向いた態勢と、玄関ホール１３側を向いた態勢とに、体を回転させながら体の向きを変える動作を行う。その点で、玄関ホール１３の側となるにしたがって座板部２１の奥行がより小さくなり、前端面が傾斜した構成では、このような体の向きを変える動作を行いやすい。これにより、玄関ベンチ２０を使用する上での利便性を向上させることができる。そして、このような玄関ベンチ２０を備えた建物玄関１１が建物１０に設けられていることで、建物１０の利便性を高めることができる。
【００３８】
玄関ベンチ２０は、玄関土間空間１２と玄関ホール１３とが並ぶ所定方向に沿って長尺状に形成され、少なくとも大人一人と子供一人とが並んで座れる程度の座面２１ａが確保された座板部２１を有している。これにより、親子が並んで玄関ベンチ２０を利用したり、玄関ベンチ２０に座った横に荷物を置いたりすることなどが可能となり、玄関ベンチ２０の利便性をさらに向上させることができる。
【００３９】
玄関ベンチ２０よりも玄関ホール１３側となる内壁１３ｂには、床面１３ａに対して垂直方向に延びる手摺３０が設けられている。この手摺３０は、建物利用者が玄関ホール１３の側を向いて玄関ベンチ２０に座った状態で、手が届く位置に設けられている。このため、玄関ベンチ２０の玄関ホール１３側の位置で、立ち上がったり座ったりする動作を行う場合にこの手摺３０を使用したり、体の向きを変える際に手摺３０を使用したりして、体の向きの変更、立ち上がり、座るといった一連の動作を行いやすい。
【００４０】
また、手摺３０は、玄関ベンチ２０の座面２１ａではなく、玄関ホール１３の内壁１３ｂに設けられている。このため、玄関ベンチ２０に座った建物利用者は、手摺３０の存在によって邪魔されることなく、体を回転させて体の向きを変更することができる。
【００４１】
玄関ベンチ２０の下に内側空間２６が設けられているため、建物利用者が玄関ベンチ２０に座って履物を脱いだり履いたりする場合に、足をその内側空間２６に入れつつそれらの動作を行える。これにより、玄関ベンチ２０に座った状態で履物を脱いだり履いたりする動作を行いやすい。
【００４２】
また、玄関扉１６が設けられる玄関開口部１５と、玄関ベンチ２０の土間側板部２２とが相対して設けられている。そして、土間側板部２２により、内側空間２６は、玄関ベンチ２０の左側面部分で覆われている。そのため、土間側板部２２により内側空間２６を区画して隠すという目隠し効果が得られる。特に、座板部２１の座面２１ａが台形状に形成され、土間側板部２２はホール側板部２３に比べて板面面積が大きく形成されているため、その分、得られる目隠し効果も大きい。これにより、内側空間２６を、履物等の一時的な収納スペースとして利用することができる。
【００４３】
［他の実施形態］
以上の通り、本発明の一実施形態としての建物玄関１１について説明したが、上記の実施形態の記載内容に限定されず、例えば次のように実施してもよい。ちなみに、以下の各構成を単独で適用してもよいし、所定の組み合わせによって上記実施形態の構成に適用してもよい。
【００４４】
（１）上記実施の形態では、玄関ベンチ２０を、その長手方向の中間部が玄関土間空間１２の側に大きく片寄った位置に設けられている構成としたが、その配置位置は任意である。例えば、図５に示す別形態の玄関ベンチ６０のように、長手方向の中間部が上り框５１の上方に配置されるような構成としてもよい。もっとも、配置位置が任意であるとはいえ、玄関土間空間１２の側で、建物利用者が正面を向いて座ることができる座面領域が確保されることが好ましい。
【００４５】
（２）上記実施の形態では、玄関ベンチ２０は、その第２長辺部２１ｅの全体が傾斜する構成を採用したが、少なくとも上り框５１の上方において傾斜する構成とすれば足りる。図５は、この場合の構成の一例である。図５に示すように、この別形態の玄関ベンチ６０は、前述したように、長手方向の中間部が上り框５１の上方に配置されている。玄関ベンチ６０が有する座板部６１は、その上り框５１の上方に傾斜部分６２が形成され、傾斜部分６２よりも端部側では、内壁１２ｂ，１３ｂと平行をなしている。
【００４６】
この構成によっても、段差となっている上り框５１の設置部分において、玄関ベンチ２０の前端が傾斜する構成となっているため、体を回転させながら向きを変更しやすいという効果が得られる。もっとも、この構成では、手が届く位置に手摺３０を設けるべく、手摺３０の設置箇所を、上記実施の形態で示した位置よりも上り框５１側に寄せた位置に設けることが好ましい。
【００４７】
（３）上記実施の形態では、玄関ベンチ２０の座板部２１は、玄関土間空間１２と玄関ホール１３とが並ぶ所定方向に沿って長尺状に形成されているが、平面視において正方形状に形成してもよい。この構成でも、座板部２１の前端面は、玄関土間空間１２の側から、玄関ホール１３の側にかけて奥行きが小さくなるように形成されることにより、体を回転させて向きを変更する動作を行いやすい。
【００４８】
（４）上記実施の形態では、玄関ベンチ２０の座部は平板状をなす座板部２１によって形成され、平板状をなす土間側板部２２及びホール側板部２３によってこれを支持する構成としている。それに代えて、玄関ベンチ２０を玄関収納庫と兼用する構成とし、玄関収納庫の上面部分を座部とする構成を採用してもよい。
【００４９】
このように玄関収納庫を設けてそれを玄関ベンチ２０として利用する構成とした場合に、その玄関収納庫の前面に開閉扉が設けられた構成とすると、座板部２１の下方に内側空間２６が形成されないが、そのような構成であってもよい。かかる構成であれば、建物玄関１１での収納スペースを拡張できるというメリットがある。
【００５０】
また、足入れ空間を確保しつつ収納スペースの拡張も図るという点では、座板部２１の下方に設けられた玄関収納庫の前面部分を、座板部２１の前端面よりも奥まった位置に設けるようにしてもよい。これにより、玄関収納庫の前方に、足入れ空間を確保することができる。
【００５１】
（５）上記実施の形態では、座板部２１を支持する支持部が、平板状をなす土間側板部２２及びホール側板部２３によって構成されているが、柱等の板状ではない支持部によって座板部２１を支持するようにしてもよい。
【００５２】
（６）上記実施の形態では、建物玄関１１に手摺３０が設けられているが、この手摺３０は必須の構成ではない。もっとも、建物１０の利用上の利便性を向上させるという観点からは、手摺３０が設けられた構成を採用することが好ましい。
【００５３】
（７）上記実施の形態では、手摺３０を構成する手摺本体３１は、玄関ホール１３の床面１３ａに対して垂直をなす直線状に形成されているが、手摺本体３１は水平をなす直線状であってもよい。また、直線状をなす手摺本体３１だけでなく、水平部分も付加されて全体としてＬ字状をなすように形成されたものであってもよい。
【００５４】
（８）上記実施の形態では、土間隣接空間として玄関ホール１３が設けられているが、廊下としての機能を有する空間であってもよい。
【００５５】
（９）上記実施の形態では、建物１０として住宅を想定し、建物玄関１１の間取りも住宅の建物玄関１１を例として説明したが、建物１０としては、店舗や事務所等の事業用の建物であってもよい。
【符号の説明】
【００５６】
１０…建物、１１…建物玄関、１２…玄関土間空間、１２ａ…床面、１２ｂ…内壁、１３…玄関ホール（土間隣接空間）、１３ａ…床面、１３ｂ…内壁、１５…玄関開口部、２０…玄関ベンチ、２１…座板部（座部）、２２…土間側板部（支持部、土間側支持部）、２３…ホール側板部（支持部）、２５…内側空間（足入れ空間）、３０…手摺、５１…上り框（境界部）。
【図１】
0006468923.tif 000002
【図２】
0006468923.tif 000003
【図３】
0006468923.tif 000004
【図４】
0006468923.tif 000005
【図５】
0006468923.tif 000006